(57)【要約】【課題】内容物を吐出させる際の、押下ヘッドの押下力を低減することができる吐出器を提供する。【解決手段】上下方向に延びるシリンダ部３を備える固定部材１０と、シリンダ部内に上下方向に摺動可能に配設されたピストン部４、ピストン部の上方に上方付勢状態で下降移動可能に配設され、ピストン部４の上下動に連係する作動部５、及び作動部５を覆い、下降移動可能に配設された押下ヘッド１５を有する可動部材２０と、を備える吐出器１であって、長手方向における一方側の端部２１ａが押下ヘッド１５に連結され、かつ他方側の端部２１ｂが固定部材１０に連結された帯体２１を備え、帯体２１における一方側の端部２１ａと、他方側の端部２１ｂと、の間の中間部２１ｃが、作動部５に係合され、一方側の端部２１ａは、他方側の端部２１ｂより上下方向から見てシリンダ軸Ｏに直交するシリンダ径方向の内側に位置している。【選択図】図１
2018034838.tif 000002
【特許請求の範囲】
【請求項１】
上下方向に延びるシリンダ部を備える固定部材と、
シリンダ部内に上下方向に摺動可能に配設されたピストン部、前記ピストン部の上方に上方付勢状態で下降移動可能に配設され、前記ピストン部の上下動に連係する作動部、及び前記作動部を覆い、下降移動可能に配設された押下ヘッドを有する可動部材と、を備える吐出器であって、
長手方向における一方側の端部が前記押下ヘッドに連結され、かつ他方側の端部が前記固定部材に連結された帯体を備え、
前記帯体における前記一方側の端部と、前記他方側の端部と、の間の中間部が、前記作動部に係合され、
前記一方側の端部は、前記他方側の端部より、シリンダ軸方向から見てシリンダ軸に直交するシリンダ径方向の内側に位置していることを特徴とする吐出器。
【請求項２】
前記作動部は上下方向に延びる筒状に形成され、
前記押下ヘッドには、下方に向けて突出する支持突部が形成され、
前記帯体の前記一方側の端部は、前記支持突部に連結され、前記押下ヘッドの下降移動に伴い、前記作動部の内側を下方に向けて進入することを特徴とする請求項１に記載の吐出器。
【請求項３】
前記帯体において、前記一方側の端部、及び前記他方側の端部はそれぞれ、前記中間部よりも下方に位置し、前記一方側の端部は、前記他方側の端部より上方に位置していることを特徴とする請求項１又は２に記載の吐出器。
【請求項４】
前記帯体は、前記シリンダ軸周りに沿うシリンダ周方向に間隔をあけて複数配設されていることを特徴とする請求項１から３のいずれか１項に記載の吐出器。
【発明の詳細な説明】
【技術分野】
【０００１】
本発明は、吐出器に関するものである。
【背景技術】
【０００２】
従来から、例えば下記特許文献１に示されるように、上下方向に延びるシリンダ部を備える固定部材と、シリンダ部内に上下方向に摺動可能に配設されたピストン部、ピストン部の上方に上方付勢状態で下降移動可能に配設され、ピストン部の上下動に連係する作動部、及び作動部を覆い、下降移動可能に配設された押下ヘッドを有する可動部材と、を備える吐出器が知られている。
【先行技術文献】
【特許文献】
【０００３】
【特許文献１】特開２０１３−９５４４２号公報
【発明の概要】
【発明が解決しようとする課題】
【０００４】
しかしながら、前記従来の吐出器では、内容物を吐出させる際の、押下ヘッドの押下力を低減することに改善の余地があった。
【０００５】
本発明は、前述した事情に鑑みてなされたものであって、内容物を吐出させる際の、押下ヘッドの押下力を低減することができる吐出器を提供することを目的とする。
【課題を解決するための手段】
【０００６】
前記課題を解決するために、本発明に係る吐出器は、上下方向に延びるシリンダ部を備える固定部材と、シリンダ部内に上下方向に摺動可能に配設されたピストン部、前記ピストン部の上方に上方付勢状態で下降移動可能に配設され、前記ピストン部の上下動に連係する作動部、及び前記作動部を覆い、下降移動可能に配設された押下ヘッドを有する可動部材と、を備える吐出器であって、長手方向における一方側の端部が前記押下ヘッドに連結され、かつ他方側の端部が前記固定部材に連結された帯体を備え、前記帯体における前記一方側の端部と、前記他方側の端部と、の間の中間部が、前記作動部に係合され、前記一方側の端部は、前記他方側の端部より、シリンダ軸方向から見てシリンダ軸に直交するシリンダ径方向の内側に位置していることを特徴とする。
【０００７】
この発明によれば、帯体において、押下ヘッドに連結された前記一方側の端部と、固定部材に連結された前記他方側の端部と、の間の前記中間部が作動部に係合されているので、押下ヘッドを押下すると、帯体における前記他方側の端部が固定された状態で、前記一方側の端部が前記中間部とともに下降移動する。これにより、作動部が、帯体の前記中間部により下降移動させられ、ピストン部がシリンダ部内を下降移動する。
したがって、帯体のうち、前記一方側の端部が力点として、前記他方側の端部が支点として、前記中間部が作用点として、それぞれ機能することとなり、押下ヘッドに加えた押下力を、梃子の原理により増幅させて前記中間部を介して作動部に及ぼすことができる。これにより、内容物を吐出させる際の、押下ヘッドの押下力を低減することができる。
【０００８】
また、以上の過程において、帯体における前記中間部のうち、作動部を押下する作用点部分と、力点である前記一方側の端部と、の距離が漸次長くなる一方、帯体における前記中間部の作用点部分と、支点である前記他方側の端部と、の距離が漸次短くなる。したがって、内容物を吐出する過程において、押下ヘッドに加える押下力を漸次低減することも可能になり、優れた操作性を具備させることができる。
また、帯体において、力点である前記一方側の端部が、支点である前記他方側の端部よりシリンダ径方向の内側に位置しているので、構造を複雑にせず簡易な構成で前述の作用効果を確実に奏功させることができる。
【０００９】
また、前記作動部は上下方向に延びる筒状に形成され、前記押下ヘッドには、下方に向けて突出する支持突部が形成され、前記帯体の前記一方側の端部は、前記支持突部に連結され、前記押下ヘッドの下降移動に伴い、前記作動部の内側を下方に向けて進入してもよい。
この場合には、支持突部に連結された帯体の前記一方側の端部が、押下ヘッドの下降移動に伴い、筒状に形成された作動部の内側を下方に向けて進入するので、押下ヘッドの下降移動時に、力点である前記一方側の端部が、シリンダ径方向に変位しにくい状態で下方に向けて案内されることとなる。したがって、押下ヘッドの下降移動時に、帯体の前記一方側の端部が引っ掛かるのを抑制することが可能になり、押下ヘッドを円滑に下降移動させることができる。
【００１０】
また、前記帯体において、前記一方側の端部、及び前記他方側の端部はそれぞれ、前記中間部よりも下方に位置し、前記一方側の端部は、前記他方側の端部より上方に位置してもよい。
この場合には、帯体のうち、支点である前記他方側の端部、及び力点である前記一方側の端部がそれぞれ、作用点である前記中間部よりも下方に位置しているので、押下ヘッドに加えた押下力を、梃子の原理により増幅させて前記中間部を介して作動部に確実に及ぼすことができる。
また、力点である前記一方側の端部が、支点である前記他方側の端部よりも上方に位置しているので、押下ヘッドの押下ストロークを確保しやすく、一度の押下操作によって、大量の内容物を吐出することを容易に実現することができる。
【００１１】
また、前記帯体は、前記シリンダ軸周りに沿うシリンダ周方向に間隔をあけて複数配設されてもよい。
この場合には、帯体がシリンダ周方向に間隔をあけて複数配設されているので、押下ヘッドに加えた押下力を、前記中間部を介して、シリンダ周方向に偏り少なく作動部に及ぼすことができる。
【発明の効果】
【００１２】
本発明によれば、内容物を吐出させる際の、押下ヘッドの押下力を低減することができる。
【図面の簡単な説明】
【００１３】
【図１】本発明の一実施形態に係る吐出器を示す縦断面図である。
【図２】図１に示す吐出器において、押下ヘッドを押下した状態を示す図である。
【図３】図１に示す吐出器において、押下ヘッドが最下端に位置した状態を示す図である。
【図４】図３に示す吐出器におけるＡ−Ａ線矢視断面図である。
【図５】本発明の他の実施形態に係る吐出器が備える帯体の（ａ）上面図、及び（ｂ）（ａ）におけるＢ−Ｂ線矢視断面図である。
【発明を実施するための形態】
【００１４】
以下、図面を参照して、本発明に係る吐出器の一実施形態について説明する。なお、以下の説明に用いる各図面では、各部材を認識可能な大きさとするために縮尺を適宜変更している。
【００１５】
図１に示すように、吐出器１は、内側に容器本体１１内の内容物を貯留する液室３２が形成されたシリンダ部３を備えた固定部材１０と、シリンダ部３内に配設されたピストン部４、ピストン部４に連係する作動部５、及び作動部５を覆う押下ヘッド１５を有する可動部材２０と、を備えている。
以下、シリンダ軸Ｏに沿って、押下ヘッド１５側を上側、ピストン部４側を下側という。また、上下方向から見た平面視において、シリンダ軸Ｏに直交する方向をシリンダ径方向といい、シリンダ軸Ｏ回りに周回する方向をシリンダ周方向という。
【００１６】
固定部材１０は、容器本体１１の口部１１ａに装着された装着キャップ２と、有底筒状に形成されたシリンダ部３の上端部に被着された中蓋１２と、内容物を吐出する吐出口８ａを有し、シリンダ部３の側方に向かって突出するとともに、シリンダ部３に直結されてシリンダ部３内の液室３２に連通された筒状のノズル部８と、を備えている。
【００１７】
容器本体１１は、例えばガラス瓶、合成樹脂製ボトル等であり、内部に図示しない内容物が収容される。容器本体１１の口部１１ａは筒状に形成され、シリンダ軸Ｏと同軸に配置されている。口部１１ａの外周面には、雄ねじ１８が形成されている。口部１１ａの内側には、中栓１３が装着されている。
【００１８】
中栓１３は、円筒形状の筒状部材であり、シリンダ軸Ｏと同軸に配設されている。
中栓１３の上下方向の中間部における外周面には、シリンダ径方向の外側に向けて突出したフランジ部１４が形成されている。このフランジ部１４は、シリンダ周方向の全周にわたって延びる円環状の板部である。このフランジ部１４は、中栓１３を支持するための支持部であり、口部１１ａの上端開口縁上に載置されている。
【００１９】
装着キャップ２は、円筒形状に形成され、シリンダ軸Ｏと同軸に配設されている。装着キャップ２の内周面には、口部１１ａの雄ねじ１８に螺合された雌ねじ１９が形成されている。
【００２０】
シリンダ部３は、上下方向に延びる有底筒状に形成され、容器本体１１の上方に配置されている。
シリンダ部３には、装着キャップ２に接続され、口部１１ａに装着された装着筒部３０が設けられている。装着筒部３０は、シリンダ部３の底壁部３１から下方に向けて延在し、シリンダ軸Ｏと同軸に配置されている。装着筒部３０の下端部には、装着キャップ２の上端部内にアンダーカット嵌合され、前述した中栓１３におけるフランジ部１４上に載置された支持フランジ部３０ａが形成されている。
【００２１】
シリンダ部３の上部における外周面には、被係止部３４がシリンダ径方向の外側に向けて突設されている。なお、被係止部３４は、シリンダ部３の外周面において、シリンダ軸Ｏをシリンダ径方向に挟んで互いに反対となる位置に各別に形成されている。但し、被係止部３４の数は２つに限定されるものではない。
【００２２】
中蓋１２は、シリンダ軸Ｏと同軸に配設された円環状の天壁部１２ａと、天壁部１２ａの外縁から下方に向けて延びる外筒部１２ｂと、天壁部１２ａの内縁から下方に向けて延びる支持筒部１２ｃと、支持筒部１２ｃの下端部からシリンダ径方向の内側に向けて延びる円環状の底壁部１２ｄと、底壁部１２ｄの内縁から上方に向けて延びるガイド筒部１２ｅと、を備えている。
天壁部１２ａは、シリンダ部３の上方に配置され、シリンダ部３の上端開口縁上に載置されている。
【００２３】
外筒部１２ｂは、シリンダ部３の上端部の外周に周設された円筒形状の筒部であり、シリンダ軸Ｏと同軸に配置されているとともに、シリンダ部３の上端部にアンダーカット嵌合されている。外筒部１２ｂの外周面には、上下方向に沿って延び、シリンダ径方向の外側に向けて突出する縦リブ１２ｇがシリンダ周方向に間隔を空けて複数形成されている。
支持筒部１２ｃは、シリンダ部３の上端部の内側に配設された略円筒形状の筒部であり、シリンダ軸Ｏと同軸に配置されている。
【００２４】
底壁部１２ｄは、シリンダ軸Ｏと同軸に配設された円環状の板部である。また、底壁部１２ｄの下面には、後述する連結筒部５１の嵌合フランジ部５１ｂの上面に当接するストッパ１２ｆが設けられている。ガイド筒部１２ｅは、支持筒部１２ｃの内側に配設された円筒形状の直筒部材であり、シリンダ軸Ｏと同軸に配置されている。ガイド筒部１２ｅの内周面には、上下方向に延びる内周溝１２ｈがシリンダ周方向に間隔をあけて複数形成されている。内周溝１２ｈは、ガイド筒部１２ｅにおける上下方向の全長にわたって形成されている。内周溝１２ｈは、ガイド筒部１２ｅの上端開口縁及び下端開口縁に各別に開口している。
【００２５】
シリンダ部３には、容器本体１１内の内容物をシリンダ部３内の液室３２に吸込む吸込み部６が配設されている。吸込み部６の内側は、シリンダ部３内の液室３２に連通されている。吸込み部６は、シリンダ部３の底壁部３１の下面から下方に向かって延びているとともに液室３２に連通した接続筒部６０と、接続筒部６０に接続されたディップチューブ６１と、を備えている。
【００２６】
接続筒部６０は、シリンダ部３における装着筒部３０の内側に配設されているとともに、シリンダ軸Ｏと同軸に配設されている。接続筒部６０のうち、上端部は他の部分よりも拡径されている。すなわち、接続筒部６０は、液室３２に向けて開口された大径の上筒部６２と、上筒部６２の下方に段差を介して連設された小径の下筒部６３と、を備えている。
下筒部６３の上端部の内周面には、全周にわたって延びるとともに、シリンダ径方向の内側に向けて突出した円環状の弁座部６４が形成されている。また、接続筒部６０は、シリンダ部３と一体に形成されている。下筒部６３の下端部は、中栓１３内に嵌合されている。
【００２７】
ディップチューブ６１は、容器本体１１の内側に配置されて容器本体１１内の内容物を吸い上げるためのチューブであり、例えば可撓性を有するフレキシブルチューブからなる。なお、ディップチューブ６１は、単なる円筒状のパイプであってもよい。ディップチューブ６１の下端開口は、容器本体１１内に開放されており、ディップチューブ６１の上端開口は、接続筒部６０の内側に嵌合されて上筒部６２内を通して液室３２に連通されている。
【００２８】
吸込み部６の内側に、ピストン部４の動作に伴って容器本体１１内と液室３２との連通、及びその遮断を切換える吸込み弁７が配設されている。吸込み弁７は、吸込み部６の上筒部６２内に嵌合された周壁部７０と、周壁部７０の内側に配設されて弁座部６４の内側を開閉する板状の弁体部７１と、弁体部７１の外周面と周壁部７０の内周面とを連結する弾性変形可能な連結片７２と、を備えている。
周壁部７０は、吸込み部６の上筒部６２内にアンダーカット嵌合されている。弁体部７１は、弁座部６４の上面に密に当接している。連結片７２は、例えばシリンダ周方向に間欠的に複数配設され、弁体部７１の外周面と周壁部７０の内周面とを繋いでいる。
【００２９】
なお、吸込み弁７は、１つの連結片７２で弁体部７１を支持した一点弁でもよい。さらに、本実施形態では、弁座部６４に着座する弁体部７１を利用することで吸込み部６の内側を開閉する吸込み弁７を例に挙げたが、この場合に限定されるものではなく、例えばボール弁を吸込み弁として採用しても構わない。
【００３０】
ノズル部８は、シリンダ部３内の液室３２に貯留された内容物を外部に吐出させるための筒状部材である。なお、図１から図３にＬで示す一点鎖線は、ノズル部８の中心軸線を示しており、以下、ノズル軸Ｌという。また、ノズル軸Ｌに沿った方向をノズル軸方向といい、ノズル軸方向から見てノズル軸Ｌに直交する方向をノズル径方向といい、ノズル軸Ｌ回りの方向をノズル周方向という。さらに、ノズル軸方向のうち、吐出口８ａ側を前側といい、シリンダ部３側を後側という。
【００３１】
ノズル部８は、後側に位置する根元筒部８２と、前側に位置し、根元筒部８２に外嵌されたノズル筒部８１と、を備えている。
根元筒部８２は、シリンダ部３と一体に形成されている。根元筒部８２の後端部は、端壁部８２ａによって閉塞されている。根元筒部８２の後端部の上部は、シリンダ部３の内部に向けて開口されている。
また、根元筒部８２の内側には、ノズル軸Ｌに対して直交する隔壁部８３が配設されている。
【００３２】
隔壁部８３には、ノズル軸方向に貫通する挿通孔８３ａが形成されている。挿通孔８３ａは、ノズル軸Ｌを中心軸線にして隔壁部８３の中央部分に形成されている。挿通孔８３ａは、前側に向かうに従い漸次拡径するテーパー状に形成されている。
また、隔壁部８３には、ノズル軸方向に貫通する複数の流通孔８３ｂが形成されている。流通孔８３ｂは、内容物が流通する流路であり、挿通孔８３ａの周囲に間欠的に形成されている。
【００３３】
ノズル筒部８１は、内容物を吐出するための筒部材であり、内容物を吐出する吐出口８ａを有している。ノズル筒部８１は、根元筒部８２をノズル径方向に囲繞する外装筒部８１ａと、外装筒部８１ａの前端部からノズル軸方向に延びる延出筒部８１ｂと、延出筒部８１ｂの前端部から下方に向けて延び、下端開口が吐出口８ａとされた屈曲筒部８１ｄと、を備えている。延出筒部８１ｂ及び屈曲筒部８１ｄそれぞれの外径及び内径は、互いに同等となっている。
【００３４】
ノズル部８の内側に、吐出弁９が配設されている。吐出弁９は、ノズル部８内からシリンダ部３の液室３２への内容物及び空気の流入を止める逆止弁であり、ピストン部４の押込み動作（下降移動）に連動して開けられる。
吐出弁９は、ノズル部８の内側に取付けられる弁基部９０と、弾性変形することにより液室３２と吐出口８ａとの連通及びその遮断を切り替える弁部９１と、を備えている。
弁部９１は、弁基部９０から前側に向けて延びる筒状に形成されている。
【００３５】
弁基部９０は、隔壁部８３の前側に配設され、挿通孔８３ａより大径に形成された基部本体９２と、基部本体９２から後側に向けて突出し、挿通孔８３ａに挿通された挿通部９３と、を備えている。挿通部９３は筒状に形成され、ノズル軸Ｌと同軸に配設されている。
挿通部９３のうち、隔壁部８３より後側に位置する後端部には、ノズル径方向の外側に向けて突出する係止部９４が形成されている。挿通部９３は、挿通孔８３ａに前後動自在に挿通される。吐出弁９が前進端位置に位置したときに、係止部９４が隔壁部８３の後面に当接し、吐出弁９が後退端位置に位置したときに、基部本体９２が隔壁部８３の前面に当接する。
【００３６】
係止部９４は、後側に向かうに従い漸次、縮径された円錐台形状に形成されており、上述したテーパー状の挿通孔８３ａの前側から挿通孔８３ａ内に挿入させることで、吐出弁９が挿通孔８３ａに装着されている。基部本体９２は、柱状に形成され、ノズル軸Ｌと同軸に配設されている。
弁部９１は、前側に向かって漸次拡径されたテーパー状の筒形状をなし、弁基部９０の基部本体９２の外周縁から、前側に向かって突出している。弁部９１の前端部は、根元筒部８２の内周面に全周にわたって密に当接している。
【００３７】
ピストン部４は、シリンダ部３内を上下方向に摺動可能に配設され、液室３２を画成している。
ピストン部４は、図１に示すように、シリンダ軸Ｏに直交する底壁部４０と、底壁部４０の外縁から上方に向けて延びる周壁部４１と、周壁部４１をシリンダ径方向の外側から囲繞し、かつシリンダ部３内に摺動自在に嵌合された筒状の摺接部４３と、を備えている。
【００３８】
底壁部４０は、液室３２に面する平面視円形の壁部であり、シリンダ部３の底壁部３１に対して上方に間隔をあけて配置されている。底壁部４０の外周部の上面には後述する連結筒部５１の嵌合フランジ部５１ｂが当接されており、嵌合フランジ部５１ｂによって底壁部４０が上方から押さえられている。
【００３９】
周壁部４１は、円筒形状の筒部であり、シリンダ軸Ｏと同軸に配設されている。摺接部４３は、シリンダ軸Ｏと同軸に配設された略円筒形状の筒部であり、摺接部４３の上下方向の中間部は、周壁部４１の上端部に連結されている。摺接部４３の上端部は、上側に向かうに従い漸次拡径されたテーパー形状に形成されている。また、摺接部４３の下端部は、下側に向かうに従い漸次拡径されたテーパー形状に形成されている。そして、これら摺接部４３の上下端部は、それぞれシリンダ部３の内周面に全周にわたって密に摺動自在に当接している。
【００４０】
作動部５は、ピストン部４の上方に上方付勢状態で下降移動可能に配設され、ピストン部４の上下動に連係する。作動部５は、シリンダ軸Ｏと同軸に配設された作動筒部５０と、作動筒部５０とピストン部４とを連結する連結筒部５１と、を備えている。作動筒部５０及び連結筒部５１は、シリンダ部３に対して相対的に押し下げ可能となっている。
作動筒部５０は円筒形状をなし、シリンダ軸Ｏと同軸に配設されている。作動筒部５０の下端部は、中蓋１２のガイド筒部１２ｅ内に下降移動可能に挿入されている。作動筒部５０の上端部には、シリンダ径方向の外側に向けて延びる環状の係合フランジ部５０ａが形成されている。係合フランジ部５０ａはシリンダ軸Ｏと同軸に配設されている。
係合フランジ部５０ａの上面における内周縁部及び外周縁部は、縦断面視において径方向の外側に向けて突の曲面状に面取りされている。係合フランジ部５０ａの下面には、後述するコイルスプリング５２が保持されるスプリング保持部５０ｂが形成されている。
【００４１】
スプリング保持部５０ｂは、コイルスプリング５２の上端部を保持する円筒形状の筒部である。係合フランジ部５０ａの下面のうち、スプリング保持部５０ｂよりもシリンダ径方向の内側に位置する部分は、シリンダ径方向の外側に位置する部分よりも上方に位置している。
作動筒部５０の上端部における内周面には、シリンダ径方向の内側に向けて突出し、連結筒部５１を係止する係止突片５０ｃが形成されている。係止突片５０ｃは、全周にわたって連続して延びている。
図４に示すように、作動筒部５０の外周面には、シリンダ径方向の外側に向けて突出し、上下方向に延びる外周突部５０ｄが形成されている。外周突部５０ｄは、シリンダ周方向に間隔をあけて複数形成されている。複数の外周突部５０ｄは、中蓋１２のガイド筒部１２ｅの内周面に形成された複数の内周溝１２ｈに各別に挿入される。
【００４２】
図１に示すように、連結筒部５１は、作動筒部５０内に嵌合された嵌合筒部５１ａと、嵌合筒部５１ａの下端部からシリンダ径方向の外側に向けて延びる嵌合フランジ部５１ｂと、を備えている。
嵌合筒部５１ａはシリンダ軸Ｏと同軸に配設されている。嵌合筒部５１ａの上端部には、内径及び外径が縮径した縮径部５１ｃが形成されている。縮径部５１ｃは、内径が上方に向かうに従い漸次、拡径した先細り形状となっている。
嵌合筒部５１ａの縮径部５１ｃにおける外周面には、作動筒部５０の係止突片５０ｃに係止された被係止部５１ｄが形成されている。被係止部５１ｄは、全周にわたって連続して延びるとともに、シリンダ径方向の内側に向けて窪む溝状をなしている。
【００４３】
嵌合フランジ部５１ｂは、ピストン部４の底壁部４０の上面に載置されているとともにピストン部４の周壁部４１の内側にアンダーカット嵌合されている。
また、嵌合フランジ部５１ｂは、中蓋１２の底壁部１２ｄの下面に設けられたストッパ１２ｆと当接可能とされており、これにより、作動部５の上昇端位置が決められている。
【００４４】
中蓋１２と作動筒部５０との間にコイルスプリング５２が介装されている。コイルスプリング５２は、作動筒部５０を上方に付勢し、押下されたピストン部４を上方に引き戻す付勢力を作動筒部５０に付与する。
コイルスプリング５２は、作動筒部５０をシリンダ径方向の外側から囲っており、コイルスプリング５２の下端は、中蓋１２の底壁部１２ｄの上面に係止され、コイルスプリング５２の上端は、作動筒部５０のスプリング保持部５０ｂの内側に嵌合されて、作動筒部５０の係合フランジ部５０ａの下面に係止されている。コイルスプリング５２の下端は、中蓋１２における支持筒部１２ｃとガイド筒部１２ｅとのシリンダ径方向の間に挿入されて、中蓋１２の底壁部１２ｄの上面に係止されている。
【００４５】
押下ヘッド１５は下降移動可能に配設されている。押下ヘッド１５は、シリンダ軸Ｏと同軸に配設された円環状の頂壁部１５ａと、頂壁部１５ａの外縁から下方に向けて延びる周壁部１５ｂと、頂壁部１５ａの内縁から下方に向かって突出する支持突部１５ｃと、を備えている。頂壁部１５ａは、中蓋１２の天壁部１２ａの上方に配設されている。
周壁部１５ｂは、中蓋１２の外筒部１２ｂ及びシリンダ部３の上端部をシリンダ径方向の外側から囲う円筒形状の直筒部材であり、シリンダ軸Ｏと同軸に配置されている。
【００４６】
周壁部１５ｂの内周面には、上下方向に延びる回転規制溝１５ｄがシリンダ周方向に間隔を空けて複数形成されている。回転規制溝１５ｄは、周壁部１５ｂにおける上下方向の全長にわたって形成され、周壁部１５ｂの下端開口縁に開口している。
周壁部１５ｂには、周壁部１５ｂをシリンダ径方向に貫く開口部１５ｅが形成されている。開口部１５ｅは、周壁部１５ｂのうち、ノズル部８に上下方向で対向する部分に形成されている。開口部１５ｅはシリンダ径方向から見て下方に向けて開放され、上方に向けて突の曲線状に形成されている。
【００４７】
支持突部１５ｃは、周壁部１５ｂの内側に配設された円筒形状の直筒部材であり、シリンダ軸Ｏと同軸に配置されている。
図４に示すように、支持突部１５ｃの外周面には、後述する帯体２１が収容可能な収容凹部１５ｆが形成されている。収容凹部１５ｆは、支持突部１５ｃの外周面に、シリンダ周方向に間隔をあけて複数形成されている。収容凹部１５ｆはシリンダ軸Ｏに直交する横断面視で矩形状をなし、支持突部１５ｃにおける上下方向の全長にわたって形成されている。収容凹部１５ｆのシリンダ周方向の大きさは、帯体２１のシリンダ周方向の大きさよりも大きく、収容凹部１５ｆのシリンダ径方向の大きさは、帯体２１のシリンダ径方向の大きさよりも大きくなっている。
支持突部１５ｃの外径は、作動部５の連結筒部５１における嵌合筒部５１ａの内径よりも小径となっている。支持突部１５ｃは、押下ヘッド１５の下降移動に伴い、嵌合筒部５１ａの内側を下方に向けて進入する。
【００４８】
支持突部１５ｃ内には、支持軸部１６が嵌合されている。支持軸部１６は上下方向に延びる軸部材である。支持軸部１６の下端部は、支持突部１５ｃの下端部から下方に向けて突出している。支持軸部１６の下端部は、嵌合筒部５１ａの上端部内に挿入されている。支持突部１５ｃの上端部内に、支持軸部１６の上端部がアンダーカット嵌合されており、支持軸部１６の上端面は、押下ヘッド１５の頂壁部１５ａの上面と面一となっている。
支持軸部１６の下端部には、シリンダ径方向の外側に向けて延びる連結フランジ部１６ａが形成されている。連結フランジ部１６ａの外周縁部には、上方に向けて突出する連結壁部１６ｂが形成されている。連結フランジ部１６ａの上面と、支持突部１５ｃの下端縁と、の間に上下方向の隙間が設けられている。
【００４９】
そして、本実施形態では、吐出器１は、長手方向における一方側の端部２１ａが押下ヘッド１５に連結され、かつ他方側の端部２１ｂが固定部材１０に連結された帯体２１を備えている。帯体２１は、長手方向に直交する断面視において、偏平な矩形状をなす帯状部材であり、可撓性を備えている。
帯体２１における前記一方側の端部２１ａと、前記他方側の端部２１ｂと、の間の中間部２１ｃが、作動部５に係合されている。図示の例では、前記中間部２１ｃは、作動筒部５０の係合フランジ部５０ａの上面に当接して係合している。
また本実施形態では、帯体２１における前記一方側の端部２１ａは、前記他方側の端部２１ｂよりシリンダ径方向の内側に位置している。
【００５０】
帯体２１はシリンダ周方向に間隔を空けて複数配設されている。
複数の帯体２１における前記一方側の端部２１ａ同士は、内側接続筒部２２を介して互いに連結されている。内側接続筒部２２は、支持軸部１６の連結フランジ部１６ａと、押下ヘッド１５の支持突部１５ｃと、の間の上下方向の隙間に配設され、これらの連結フランジ部１６aと支持突部１５ｃとにより上下方向に挟みこまれている。帯体２１の一方側の端部２１ａは、内側接続筒部２２の上端部に接続されている。これにより、帯体２１の前記一方側の端部２１ａが、支持突部１５ｃに連結されている。
【００５１】
また、複数の帯体２１における前記他方側の端部２１ｂ同士は、外側接続筒部２３を介して互いに連結されている。外側接続筒部２３は、押下ヘッド１５の周壁部１５ｂと、中蓋１２の外筒部１２ｂと、の間のシリンダ径方向の隙間に配設されている。帯体２１の前記他方側の端部２１ｂは、外側接続筒部２３の内周面に接続されている。図示の例では４つの帯体２１がシリンダ周方向に等間隔をあけて配設されている。
【００５２】
帯体２１の前記他方側の端部２１ｂは、外側接続筒部２３の内周面のうち、上下方向の中央部よりも上方に位置する部分に接続されている。前記他方側の端部２１ｂは、外側接続筒部２３の内周面に形成された接続縁部２３ａを介して、外側接続筒部２３の内周面に接続されている。接続縁部２３ａは、外側接続筒部２３の内周面に全周にわたって連続して形成されている。接続縁部２３ａは、中蓋１２の外筒部１２ｂの上面に当接している。
【００５３】
外側接続筒部２３の内周面において、接続縁部２３ａの下方に位置する部分には、上下方向に延びる縦溝２３ｂがシリンダ周方向に間隔を空けて複数形成されている。縦溝２３ｂと中蓋１２の外筒部１２ｂに形成された縦リブ１２ｇとが係合することで、外側接続筒部２３と中蓋１２とのシリンダ軸Ｏ回りの相対回転が規制されている。
【００５４】
外側接続筒部２３の外周面には、シリンダ径方向の外側に向けて突出し、上下方向に延びる回転規制リブ２３ｃがシリンダ周方向に間隔を空けて複数形成されている。回転規制リブ２３ｃと押下ヘッド１５の周壁部１５ｂに形成された回転規制溝１５ｄとが係合することで、外側接続筒部２３と押下ヘッド１５とのシリンダ軸Ｏ回りの相対回転が規制されている。
外側接続筒部２３の下端部は、中蓋１２の外筒部１２ｂにアンダーカット嵌合されている。これにより、帯体２１の前記他方側の端部２１ｂが、固定部材１０に連結されている。
【００５５】
そして本実施形態では、帯体２１において、前記一方側の端部２１ａ、及び前記他方側の端部２１ｂがそれぞれ、前記中間部２１ｃよりも下方に位置し、前記一方側の端部２１ａは、前記他方側の端部２１ｂより上方に位置している。帯体２１の前記中間部２１ｃにおいて、係合フランジ部５０ａ上に位置している部分におけるシリンダ径方向の内端部は、シリンダ径方向の外端部よりも縦断面視における曲率半径が大きくなっている。
【００５６】
上記した吐出器１を用いて内容物を吐出する際には、図２に示すように、液室３２に内容物が貯留された状態で、押下ヘッド１５の頂壁部１５ａの上面を押圧し、コイルスプリング５２の付勢力に抗して押下ヘッド１５を押し下げる。
これに伴い、押下ヘッド１５の支持突部１５ｃに連結された帯体２１の前記一方側の端部２１ａが、支持突部１５ｃとともに、作動部５の連結筒部５１における嵌合筒部５１ａの内側を下方に向けて進入する。これにより、帯体２１の前記中間部２１ｃが順次、作動筒部５０の内側に引き込まれるとともに、帯体２１の前記中間部２１ｃの下面が、作動筒部５０の係合フランジ部５０ａの上面を下方に向けて押下する。
【００５７】
以上の過程において、帯体２１の前記中間部２１ｃのうち、係合フランジ部５０ａを押下する作用点部分は、前記一方側の端部２１ａ側に位置する部分から、前記他方側の端部２１ｂ側に位置する部分に向けて順次移動してゆく。なおこの際、帯体２１は、前記一方側の端部２１ａ側から前記他方側の端部２１ｂ側に向けて順次、支持突部１５ｃの収容凹部１５ｆ内に下側から上側に向けて収容されていく。
【００５８】
さらにこの際、コイルスプリング５２が上下方向に圧縮されるとともに、連結筒部５１を介して作動筒部５０に連結されたピストン部４が、作動筒部５０とともにシリンダ部３に対して相対的に下降して、液室３２が減容される。
その後、図３に示すように、作動筒部５０の係合フランジ部５０ａの下面が、中蓋１２の天壁部１２ａの上面に当接或いは近接した際に、ピストン部４の底壁部４０の下面が、シリンダ部３の底壁部３１の上面に当接する。
【００５９】
次に、液室３２の減容化によって液室３２の内圧が所定の正圧まで上昇することで、その内圧によって弁部９１が弾性的に縮径変形し、弁部９１の前端部と根元筒部８２の内周面との間に隙間が形成されて吐出弁９が開かれる。
これにより、液室３２内の内容物が根元筒部８２の後方に流入した後、隔壁部８３の流通孔８３ｂを通って根元筒部８２内を前側に向かって流通し、さらに、根元筒部８２内からノズル筒部８１内に流入し、ノズル筒部８１内を通って吐出口８ａから外部に吐出される。
【００６０】
そして、押下ヘッド１５の押し下げ操作を止めてピストン部４の下降移動を停止させると、弁部９１が弾性により復元変形して拡径される。これにより、弁部９１の前端部がノズル本体８０の内周面に全周にわたって再び密に当接して吐出弁９が閉じられ、その結果、ノズル部８の吐出口８ａからの内容物の吐出が停止される。
【００６１】
次に、押下ヘッド１５への押下操作を解除すると、コイルスプリング５２の付勢力によって作動筒部５０が押し上げられ、連結筒部５１を介して作動筒部５０に連結されたピストン部４が、作動筒部５０とともにシリンダ部３に対して相対的に上昇してシリンダ部３の上端側に引き戻され、液室３２の容積が増大される。
なおこの際、作動筒部５０の上昇に伴い、作動筒部５０の係合フランジ部５０ａの上面が、帯体２１の前記中間部２１ｃを押し上げる。これにより帯体２１の前記一方側の端部２１ａが押下ヘッド１５の支持突部１５ｃとともに上昇移動し、支持突部１５ｃの、作動筒部５０及び連結筒部５１の内側から上方に向けた突出量が増大する。
【００６２】
また、上述したように液室３２の内圧が負圧となると、その内圧によって吸込み弁７の弁体部７１が引っ張られ、吸込み弁７の連結片７２を弾性変形させながら弁体部７１が引き上げられ、弁体部７１が弁座部６４から離間して吸込み弁７が開かれる。
これにより、容器本体１１内の内容物がディップチューブ６１内に流入してディップチューブ６１内を上方に向かって流通し、弁座部６４の内側を通って吸込み弁７の周壁部７０の内側に流入する。そして、その内容物は、周壁部７０と弁体部７１との間の隙間を通って流通し、接続筒部６０の上筒部６２の内側を通過して液室３２内に吸込まれる。
【００６３】
そして、図１に示すように、連結筒部５１の嵌合フランジ部５１ｂの上面が、中蓋１２の底壁部１２ｄの下面のストッパ１２ｆに当接することで、押下ヘッド１５の上昇が停止してピストン部４の引戻し動作が停止する。これにより、吸込み弁７の連結片７２の弾性によって弁体部７１が引き下げられ、弁体部７１が弁座部６４に着座して密に当接して吸込み弁７が閉じられ、その結果、液室３２内への内容物の吸込みが停止される。
【００６４】
以上説明したように、本実施形態に係る吐出器１によれば、帯体２１において、押下ヘッド１５に連結された前記一方側の端部２１ａと、固定部材１０に連結された前記他方側の端部２１ｂと、の間の前記中間部２１ｃが作動部５に係合されているので、押下ヘッド１５を押下すると、帯体２１における前記他方側の端部２１ｂが固定された状態で、前記一方側の端部２１ａが前記中間部２１ｃとともに下降移動する。これにより、作動部５が、帯体２１の前記中間部２１ｃにより下降移動させられ、ピストン部４がシリンダ部３内を下降移動する。
したがって、帯体２１のうち、前記一方側の端部２１ａが力点として、前記他方側の端部２１ｂが支点として、前記中間部２１ｃが作用点として、それぞれ機能することとなり、押下ヘッド１５に加えた押下力を、梃子の原理により増幅させて前記中間部２１ｃを介して作動部５に及ぼすことができる。これにより、内容物を吐出させる際の、押下ヘッド１５の押下力を低減することができる。
【００６５】
また、以上の過程において、帯体２１における前記中間部２１ｃのうち、作動部５を押下する作用点部分と、力点である前記一方側の端部２１ａと、の距離が漸次長くなる一方、帯体２１における前記中間部２１ｃの作用点部分と、支点である前記他方側の端部２１ｂと、の距離が漸次短くなる。したがって、内容物を吐出する過程において、押下ヘッド１５に加える押下力を漸次低減することも可能になり、優れた操作性を具備させることができる。
また、帯体２１において、力点である前記一方側の端部２１ａが、支点である前記他方側の端部２１ｂよりシリンダ径方向の内側に位置しているので、構造を複雑にせず簡易な構成で前述の作用効果を確実に奏功させることができる。
【００６６】
また、支持突部１５ｃに連結された帯体２１の前記一方側の端部２１ａが、押下ヘッド１５の下降移動に伴い、筒状に形成された作動部５の内側を下方に向けて進入するので、押下ヘッド１５の下降移動時に、力点である前記一方側の端部２１ａが、シリンダ径方向に変位しにくい状態で下方に向けて案内されることとなる。したがって、押下ヘッド１５の下降移動時に、帯体２１の前記一方側の端部２１ａが引っ掛かるのを抑制することが可能になり、押下ヘッド１５を円滑に下降移動させることができる。
【００６７】
また、帯体２１のうち、支点である前記他方側の端部２１ｂ、及び力点である前記一方側の端部２１ａがそれぞれ、作用点である前記中間部２１ｃよりも下方に位置しているので、押下ヘッド１５に加えた押下力を、前記中間部２１ｃを介して作動部５に確実に及ぼすことができる。
また、力点である前記一方側の端部２１ａが、支点である前記他方側の端部２１ｂよりも上方に位置しているので、押下ヘッド１５の押下ストロークを確保しやすく、一度の押下操作によって、大量の内容物を吐出することを容易に実現することができる。
また、帯体２１がシリンダ周方向に間隔をあけて複数配設されているので、押下ヘッド１５からの押下力を、シリンダ周方向に偏り少なく作動部５に伝達することができる。
【００６８】
なお、本発明の技術範囲は、上記実施形態に限定されるものではなく、本発明の趣旨を逸脱しない範囲において、種々の変更を加えることが可能である。
【００６９】
例えば、上記実施形態においては、帯体２１が４つ配設された構成を示したが、帯体２１の数量についてはこのような態様に限られない。例えば図５に示すように、シリンダ周方向に３つの帯体２１を配設してもよいし、２つ又は５つ以上の帯体を配設してもよい。
また、上記実施形態においては、帯体２１は、シリンダ周方向に間隔をあけて複数配設されている構成を示したが、このような態様に限られない。帯体が１つ配設されてもよい。
【００７０】
また、上記実施形態においては、帯体２１の前記一方側の端部２１ａが、押下ヘッド１５に連結された構成を示したが、このような態様に限られない。帯体の前記一方側の端部２１ａは作動部における連結筒部に連結されてもよい。
また、上記実施形態においては、帯体２１の前記他方側の端部２１ｂが、中蓋１２に連結された構成を示したが、このような態様に限られない。帯体の前記他方側の端部２１ｂは、固定部材における装着筒部、シリンダ部、及びノズル部のうちのいずれかに連結されてもよい。
【００７１】
また、上記実施形態においては、帯体２１が、長手方向に直交する断面視において、偏平な矩形状をなす帯状部材である構成を示したが、このような態様に限られない。帯体は断面視において円形状やその他の形状をなしてもよいし、前記中間部２１ｃで複数に分岐するような構成であってもよい。
また、上記実施形態においては、帯体２１の前記中間部は、作動部５の作動筒部５０における係合フランジ部５０ａの上面に当接して係合している構成を示したが、このような態様に限られない。前記中間部２１ｃは、作動筒部の側面に係合してもよいし、作動部における連結筒部に係合してもよい。
【００７２】
また、上記実施形態においては、帯体２１の前記一方側の端部２１ａが、押下ヘッド１５に形成された支持突部１５ｃに連結され、押下ヘッド１５の下降移動に伴い、上下方向に延びる筒状に形成された作動部５の内側に下方に向けて進入する構成を示したが、このような態様に限られない。帯体の前記一方側の端部２１ａは、押下ヘッドの天壁部や周壁部に連結されてもよいし、押下ヘッドの下降移動に伴い、作動部の外側を下降してもよい。また作動部は、筒形状以外の形状であってもよい。
【００７３】
また、上記実施形態においては、帯体２１において、前記一方側の端部２１ａ、及び前記他方側の端部２１ｂはそれぞれ、前記中間部２１ｃよりも下方に位置し、前記一方側の端部２１ａは、前記他方側の端部２１ｂより上方に位置している構成を示したが、このような態様に限られない。帯体における前記一方側の端部２１ａ、前記他方側の端部２１ｂ、及び前記中間部２１ｃそれぞれの上下方向の位置は、任意に変更可能である。
【００７４】
また、上記実施形態においては、ノズル部８が、シリンダ部３の側方に向かって突出するとともに、シリンダ部３に直結されてシリンダ部３内の液室３２に連通された構成を示したが、このような態様に限られない。ノズル部は、側方以外の方向に向かって突出してもよいし、シリンダ部と直結されなくてもよい。
【００７５】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００７６】
１  吐出器
３  シリンダ部
４  ピストン部
５  作動部
１０  固定部材
１５  押下ヘッド
１５ｃ  支持突部
２０  可動部材
２１  帯体
２１ａ  一方側の端部
２１ｂ  他方側の端部
２１ｃ  中間部
【図１】
2018034838.tif 000003
【図２】
2018034838.tif 000004
【図３】
2018034838.tif 000005
【図４】
2018034838.tif 000006
【図５】
2018034838.tif 000007